(57)【要約】      （修正有）【課題】ヒートポンプと吸放湿手段を用い、効率の良い除湿を行いつつ、冷風感を向上した冷風機能付き除湿装置を提供する。【解決手段】室内空気５を、放熱器１０３においてヒートポンプ１１８の放熱により加熱し、放湿部１２１において吸放湿手段１１９の放湿により加湿し、吸熱器１０５においてヒートポンプ１１８の吸熱により冷却し、吸湿部１２０において吸放湿手段１１９の吸湿により除湿して得られる除湿冷却空気の冷風感を向上する冷風感向上手段４１を設ける構造とすることにより、除湿冷却空気の温度をより低く感じられるようになる冷風感の向上した快適な除湿装置。【選択図】図１
2006220385.tif 000002
【特許請求の範囲】
【請求項１】
冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）と、室内空気（５）を前記放熱器（１０３）、前記放湿部（１２１）、前記吸熱器（１０５）、前記吸湿部（１２０）の順に供給し周囲空気より低い温度で室内に吹出す第１送風手段（３）と、室内空気（５）を前記放熱器（１０３）に供給し室内に吹出す第２送風手段（４）を備え、前記第１送風手段（３）から吹出す低温空気の冷風感を向上する冷風感向上手段（４１）を設ける構造としたことを特徴とする除湿装置。
【請求項２】
冷風感向上手段（４１）は第１送風手段（３）により送風される空気の風速を速める風速向上手段（４２）を備えたことを特徴とする請求項１記載の除湿装置。
【請求項３】
第１送風手段（３）はモーター（３２）と羽根（３１）とファンケーシング（３７）を備え前記ファンケーシング（３７）内で前記羽根（３１）が前記モーター（３２）により回転を与えられることにより送風する構成とし、風速向上手段（４２）は前記ファンケーシング（３７）の吹出口に向かう流路に、狭流路部（４３）を備える構造としたことを特徴とする請求項２記載の除湿装置。
【請求項４】
第１送風手段（３）はモーター（３２）と羽根（３１）とファンケーシング（３７）を備え前記ファンケーシング（３７）内で前記羽根（３１）が前記モーター（３２）により回転を与えられることにより送風する構成とし、風速向上手段（４２）は前記ファンケーシング（３７）の吹出口に向かう流路に湾曲部（４４）を備えることを特徴とする請求項２または３記載の除湿装置。
【請求項５】
冷風感向上手段（４１）は第１送風手段（３）により送風される空気に熱が加えられるのを防止する断熱手段（４５）を備えることを特徴とする請求項１、２、３または４記載の除湿装置。
【請求項６】
第１送風手段（３）はモーター（３２）と羽根（３１）とファンケーシング（３７）を備え前記ファンケーシング（３７）内で前記羽根（３１）が前記モーター（３２）により回転を与えられることにより送風する構成とし、断熱手段（４５）はモーター（３２）を風路に入れない構造を備えることを特徴とする請求項５記載の除湿装置。
【請求項７】
冷風感向上手段（４１）は第１送風手段（３）により送風される空気が周囲の室内空気（５）と混合するのを抑制する混合抑制手段（４８）を備えることを特徴とする請求項１、２、３、４、５または６記載の除湿装置。
【請求項８】
第１送風手段（３）の吹出口に風向を変更するルーバー（３０）を備え、混合抑制手段（４８）は前記第１送風手段（３）の吹出口の両端にくるように前記ルーバー（３０）に配置された風向板（４９）を設ける構造とすることを特徴とする請求項７記載の除湿装置。
【請求項９】
冷風感向上手段（４１）は吸熱器（１０５）に流入する風路に室内空気（５）を導入する空気導入風路（５１）を設ける構造としたことを特徴とする請求項１、２、３、４、５、６、７または８記載の除湿装置。
【請求項１０】
空気導入風路（５１）は、空気導入量を調整できる空気導入量調整手段（５２）を設ける構造としたことを特徴とする請求項９記載の除湿装置。
【請求項１１】
第１送風手段（３）と第２送風手段（４）の吹出し空気を混合して吹出すか、または分離して吹出すかを切替える切替え手段（６）を備え、空気導入量調整手段（５２）は前記切替え手段（６）の動作に連動して外気導入量を調整する構造とすることを特徴とする請求項１０記載の除湿装置。
【請求項１２】
切替え手段（６）が第１送風手段（３）と第２送風手段（４）の吹出し空気を分離して吹出すよう風路を切替えた時に、空気導入量調整手段（５２）は吸熱器（１０５）の前段に導入される室内空気（５）の量を増加する構造とすることを特徴とする請求項１１記載の除湿装置。
【請求項１３】
冷風感向上手段（４１）が除湿能力低減手段であることを特徴とする請求項１、２、３、４、５、６、７、８、９、１０、１１または１２記載の除湿装置。
【請求項１４】
吸放湿手段（１１９）を、ハニカムローター（１０８）に担持された吸着剤（１０７）が、吸湿部（１２０）において供給空気から水分を吸着するとともに放湿部（１２１）において供給空気へ水分を脱着するように前記ハニカムローター（１０８）を配し、前記ハニカムローター（１０８）の回転によって、前記吸湿部（１２０）における水分吸着と前記放湿部（１２１）における水分脱着を繰り返すように構成し、除湿能力低減手段は前記吸放湿手段（１１９）の回転を低下させる、または停止させる構造とすることを特徴とする請求項１３記載の除湿装置。
【請求項１５】
冷風感向上手段（４１）は第２送風手段（４）から吹出した空気が放熱器（１０３）に再び吸込まれるの防止する再吸込防止手段（５３）を設ける構造とすることを特徴とする請求項１、２、３、４、５、６、７、８、９、１０、１１、１２、１３または１４記載の除湿装置。
【請求項１６】
再吸込防止手段（５３）は、第２送風手段（４）から吹出す空気が放熱器（１０３）の吸込み方向に向かないように設けられた風向変更部（５４）を配置する構造とすることを特徴とする請求項１５記載の除湿装置。
【発明の詳細な説明】
【技術分野】
【０００１】
本発明は、圧縮機、放熱器、膨張機構、吸熱器等から構成されるヒートポンプと、吸着剤や吸収剤を用いて吸放湿を行う吸放湿手段を備えた除湿装置に関する。
【背景技術】
【０００２】
従来のヒートポンプと吸放湿手段を備えた除湿装置としては、放熱器、吸放湿手段の放湿部、吸熱器の順に空気を循環させるものがある（例えば、特許文献１参照）。
【０００３】
以下、その除湿装置について図１１を参照しながら説明する。
【０００４】
図１１に示すように、除湿装置の本体１０１内には、圧縮機１０２、放熱器１０３、膨張機構１０４、吸熱器１０５を配管接続した冷媒回路１０６と、吸着剤１０７が担持されたハニカムローター１０８が設けられており、循環ファン１０９によって送風される循環空気１１０が、放熱器１０３、ハニカムローター１０８の一部、吸熱器１０５の順に循環するように循環経路１１１が形成されている。また、ハニカムローター１０８の他の部分は、吸込口１１２および吹出口１１３を開口した供給経路１１４内に配置されており、供給ファン１１５によって除湿対象空気１１６が供給されている。また、冷媒回路１０６内には冷媒１１７が充填されており、この冷媒１１７が、圧縮機１０２で圧縮されることによって、放熱器１０３、膨張機構１０４、吸熱器１０５の順に冷媒回路１０６内を循環し、放熱器１０３において循環空気１１０に放熱するとともに、吸熱器１０５において循環空気１１０から吸熱することによってヒートポンプ１１８を動作させている。ハニカムローター１０８は、図示しない駆動手段によって回転しており、この回転に伴いハニカムローター１０８に担持された吸着剤１０７が、循環経路１１１内における循環空気１１０との接触と供給経路１１４内における除湿対象空気１１６との接触を繰り返している。この吸着剤１０７は、晒される空気の相対湿度が高ければ多くの水分を保持でき、相対湿度が低くなると保持可能な水分量が減少する特性を有しているので、相対湿度の異なる複数の空気との接触を繰り返せば、各々の相対湿度における吸着剤１０７の保持可能な水分量の差に応じて水分の吸脱着が行われることになる。ここで、循環経路１１１内で吸着剤１０７と接触する循環空気１１０は、放熱器１０３において冷媒１１７の放熱により加熱されて除湿対象空気１１６よりも低い相対湿度の空気となっているので、この相対湿度の差によって、吸着剤１０７が、除湿対象空気１１６中の水分を吸着し、吸着した水分を循環空気１１０中に脱着するように作用する。この吸脱着作用によって吸放湿手段１１９としての動作が為されることとなり、ハニカムローター１０８の供給経路１１４内に位置する部分が除湿対象空気１１６から吸湿する吸湿部１２０、ハニカムローター１０８の循環経路１１１内に位置する部分が循環空気１１０へ放湿する放湿部１２１となる。吸湿部１２０において吸湿された除湿対象空気１１６は低湿の空気となって吹出口１１３から本体１０１外部に流出し、また、放湿部１２１において放湿された循環空気１１０は、高湿の空気となって吸熱器１０５に供給される。吸熱器１０５に供給された高湿の循環空気１１０は、冷媒１１７の吸熱によって露点温度以下まで冷却されて空気中の水分が飽和する。この飽和した水分が凝縮してタンク１２２に滴下し、このタンク１２２に溜まった凝縮水の量が除湿装置の除湿量となるのである。
【特許文献１】特開昭６３−１４３３号公報（第２−３頁、第１図）
【発明の開示】
【発明が解決しようとする課題】
【０００５】
以上の例では、吸湿部１２０において除湿対象空気１１６から吸湿し、この吸湿した水分を、放熱器１０３で加熱した高温の循環空気１１０を放湿部１２１に供給することによって放湿させ、この放湿させた水分を含んだ高湿の循環空気１１０を吸熱器１０５において冷却して水分を飽和させるとことにより除湿するようにしている。したがって吸湿部１２０において除湿対象空気１１６から水分を吸湿した際に発生する吸着熱および、放熱器１０３において加えられた熱は、すべて吹出口１１３から放出されることになるので、吹出口１１３からは除湿はされているが温度の高い空気が吹出していたため、夏場などには不快感があった。また、循環空気１１０を放熱器１０３、放湿部１２１、吸熱器１０５に循環させる循環経路１１１を密閉性よく本体１０１内に形成する必要があり、装置構成が複雑化するという問題点があった。そして循環経路１１１の密閉度が低い場合には、除湿対象空気１１６と循環空気１１０との湿度移行が発生して除湿効率が低下するという問題点があった。
【０００６】
本発明は上記課題を解決するものであり、室内空気より低温の空気を吹出し、その冷風感を高め、さらに利用者が供給空気を温度が低く除湿のされた空気か温度が高く除湿された空気かを任意にモード選択および冷風感の強弱の調整が可能な除湿装置を、循環経路１１１のない単純な構成で提供することを目的としている。
【課題を解決するための手段】
【０００７】
上記した目的を達成するために、本発明が講じた第１の課題解決手段は、冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）と、室内空気（５）を前記放熱器（１０３）、前記放湿部（１２１）、前記吸熱器（１０５）、前記吸湿部（１２０）の順に供給し周囲空気より低い温度で室内に吹出す第１送風手段（３）と、室内空気（５）を前記放熱器（１０３）に供給し室内に吹出す第２送風手段（４）を備え、前記第１送風手段（３）から吹出す低温空気の冷風感を向上する冷風感向上手段（４１）を設ける構造としたものである。
【０００８】
この手段では、第１送風手段（３）から吹出す空気の温度を低く感じられるようになる。
【０００９】
また、本発明が講じた第２の課題解決手段は、上記第１の課題解決手段において、冷風感向上手段（４１）は第１送風手段（３）により送風される空気の風速を速める風速向上手段（４２）を備える構造とするものである。
【００１０】
この手段では吹出口における風速を速くするので、冷風の到達距離が伸びるとともに、その空気の熱伝達率を向上させより多くの熱量を奪うことができるようになるので、第１送風手段（３）から吹出す冷風の冷風感が向上する。
【００１１】
また、本発明が講じた第３の課題解決手段は、上記第２の課題解決手段において、第１送風手段（３）はモーター（３２）と羽根（３１）とファンケーシング（３７）を備え前記ファンケーシング（３７）内で前記羽根（３１）が前記モーター（３２）により回転を与えられることにより送風する構成とし、風速向上手段（４２）は前記ファンケーシング（３７）の吹出口に向かう流路に、狭流路部（４３）を備える構造としたものである。
【００１２】
この手段では、狭流路部（４３）により第１送風手段（３）内で風速が速められ吹出口における風速が速くなるので、冷風の到達距離が伸びるとともに、その空気の熱伝達率を向上させより多くの熱量を奪うことができるようになるので、第１送風手段（３）から吹出す冷風の冷風感が向上する。
【００１３】
また、本発明が講じた第４の課題解決手段は、上記第２または第３の課題解決手段において、第１送風手段（３）はモーター（３２）と羽根（３１）とファンケーシング（３７）を備え前記ファンケーシング（３７）内で前記羽根（３１）が前記モーター（３２）により回転を与えられることにより送風する構成とし、風速向上手段（４２）は前記ファンケーシング（３７）の吹出口に向かう流路に湾曲部（４４）を備える構造とするものである。
【００１４】
この手段では、第１送風手段（３）により送風される風を湾曲部（４４）において風速を落とすことなく風が必要な方向に曲げることができ、吹出口における風速が遅くなるのを防ぐため、冷風の到達距離が伸びるとともに、その空気の熱伝達率を向上させより多くの熱量を奪うことができるようになるので、第１送風手段（３）から吹出す冷風の冷風感が向上する。
【００１５】
また、本発明が講じた第５の課題解決手段は、上記第１、第２、第３または第４の課題解決手段において、冷風感向上手段（４１）は第１送風手段（３）により送風される空気に熱が加えられるのを防止する断熱手段（４５）を備える構造としたものである。
【００１６】
この手段では、第１送風手段（３）により吹出す空気に熱が与えることがなくなる。
【００１７】
また、本発明が講じた第６の課題解決手段は、上記第５の課題解決手段において、第１送風手段（３）はモーター（３２）と羽根（３１）とファンケーシング（３７）を備え前記ファンケーシング（３７）内で前記羽根（３１）が前記モーター（３２）により回転を与えられることにより送風する構成とし、断熱手段（４５）はモーター（３２）を風路に入れない構造としたものである。
【００１８】
この手段では、モーター（３２）は通電すれば発熱を伴うが上記のように構成することにより、モーター（３２）からの発熱を第１送風手段（３）により吹出す空気に与えることがなくなる。
【００１９】
また、本発明が講じた第７の課題解決手段は、上記第１、第２、第３、第４、第５または第６の課題解決手段において、冷風感向上手段（４１）は第１送風手段（３）により送風される空気が周囲の室内空気（５）と混合するのを抑制する混合抑制手段（４８）を備えるものである。
【００２０】
この手段では、第１送風手段（３）により吹出される低温空気が周囲の空気と混ざりにくくなるので低温空気の温度が上昇することが抑制される。
【００２１】
また、本発明が講じた第８の課題解決手段は、上記第７第４の課題解決手段において、第１送風手段（３）の吹出口に風向を変更するルーバー（３０）を備え、混合抑制手段（４８）は前記第１送風手段（３）の吹出口の両端にくるように前記ルーバー（３０）に配置された風向板（４９）を設ける構造としたものである。
【００２２】
この手段では、第１送風手段（３）により吹出される低温空気が周囲の空気と混ざりにくくなるので低温空気の温度が上昇することなく、また、吹出し方向を絞って吹出すことになり、風速を速くすることになり低温空気の到達距離も長くなる。
【００２３】
また、本発明が講じた第９の課題解決手段は、上記第１、第２、第３、第４、第５、第６、第７または第８の課題解決手段において、冷風感向上手段（４１）は吸熱器（１０５）に流入する風路に室内空気（５）を導入する空気導入風路（５１）を設ける構造としたものである。
【００２４】
この手段では、放熱器（１０３）により加熱されていない室内空気（５）を、より多く吸熱器（１０５）に導入し冷却するので第１送風手段（３）からより温度の低い空気を吹出すとともに風量も多くなる。
【００２５】
また、本発明が講じた第１０の課題解決手段は、上記第９の課題解決手段において、空気導入風路（５１）は、空気導入量を調整できる空気導入量調整手段（５２）を設ける構造としたものである。
【００２６】
この手段では、冷風感を強くしたい時には、空気導入量を多くするよう調整することにより吸熱器（１０５）に導入する室内空気（５）を増やし、冷風感を強くすることができ、冷風感を弱くしたい時には、空気導入量を少なくするように調整することにより、吸熱器（１０５）に直接導入する室内空気（５）を減少することにより冷風感を弱めることができる。
【００２７】
また、本発明が講じた第１１の課題解決手段は、上記第１０の課題解決手段において、第１送風手段（３）と第２送風手段（４）の吹出し空気を混合して吹出すか、または分離して吹出すかを切替える切替え手段（６）を備え、空気導入量調整手段（５２）は前記切替え手段（６）の動作に連動して外気導入量を調整する構造としたものである。
【００２８】
この手段では、切替え手段（６）を第１送風手段（３）と第２送風手段（４）の吹出し空気が混合するよう設定する除湿モードでは、空気導入量を除湿量が最大となるように調整し、第１送風手段（３）と第２送風手段（４）の吹出し空気を分離して吹出す冷風モードでは冷風感が最も得られるように空気導入量を調整し、これらを連動して行うことができる。
【００２９】
また、本発明が講じた第１２の課題解決手段は、上記第１１の課題解決手段において、切替え手段（６）が第１送風手段（３）と第２送風手段（４）の吹出し空気を分離して吹出すよう風路を切替えた時に、空気導入量調整手段（５２）は吸熱器（１０５）の前段に導入される室内空気（５）の量を増加する構造としたものである。
【００３０】
この手段では、切替え手段（６）を第１送風手段（３）と第２送風手段（４）の吹出し空気が分離するよう設定する冷風モードでは、吸熱器（１０５）の前段に放熱器（１０３）により加熱されていない室内空気（５）の導入量を増加されることになり、第１送風手段（３）からより温度の低い空気を吹出すとともに、第１送風手段（３）から吹出す風量も多くなる。
【００３１】
また、本発明が講じた第１３の課題解決手段は、上記第１、第２、第３、第４、第５、第６、第７、第８、第９、第１０、第１１または第１２の課題解決手段において、冷風感向上手段（４１）が除湿能力低減手段であるとしたものである。
【００３２】
この手段では、除湿装置におけるトータルの温度上昇は入力電力が温度上昇になったものと水分を凝縮する際に発生する凝縮潜熱が温度上昇になったものの和であるが、そのうち水分凝縮量を意図的に減らすことにより凝縮潜熱による温度上昇を抑えることができることになり、温度を低く抑えた空気を吹出すことになる。
【００３３】
また、本発明が講じた第１４の課題解決手段は、上記第１３の課題解決手段において、吸放湿手段（１１９）を、ハニカムローター（１０８）に担持された吸着剤（１０７）が、吸湿部（１２０）において供給空気から水分を吸着するとともに放湿部（１２１）において供給空気へ水分を脱着するように前記ハニカムローター（１０８）を配し、前記ハニカムローター（１０８）の回転によって、前記吸湿部（１２０）における水分吸着と前記放湿部（１２１）における水分脱着を繰り返すように構成し、除湿能力低減手段は前記吸放湿手段（１１９）の回転を低下させる、または停止させる構造としたものである。
【００３４】
この手段では、通常であれば室内空気（５）を、放熱器（１０３）においてヒートポンプ（１１８）の放熱により加熱し、次にハニカムローター（１０８）の放湿部（１２１）において吸着剤（１０７）の放湿により加湿し、次に吸熱器（１０５）においてヒートポンプ（１１８）の吸熱により冷却し、次にハニカムローター（１０８）の吸湿部（１２０）において吸着剤（１０７）の吸湿により除湿する。従って、吹出す空気は、ハニカムローター（１０８）の吸湿部（１２０）により吸湿され、吸着熱により温度が上昇していた。上記のように除湿能力低減手段として吸放湿手段（１１９）の回転を低下、停止させることにより、吸湿部（１２０）における吸湿を抑制し、除湿能力を低下させ、吸着熱による温度上昇を抑制するので、吹出し空気の温度を低く抑えることになる。
【００３５】
また、本発明が講じた第１５の課題解決手段は、上記第１、第２、第３、第４、第５、第６、第７、第８、第９、第１０、第１１、第１２、第１３または第１４の課題解決手段において、冷風感向上手段（４１）は第２送風手段（４）から吹出した空気が放熱器（１０３）に再び吸込まれるの防止する再吸込防止手段（５３）を設ける構造としたものである。
【００３６】
この手段では、第２送風手段（４）から吹出した温度の高い空気を再度放熱器（１０３）に吸込んだ場合、放熱器（１０３）における放熱量が低下しその結果、吸熱器の温度が上昇してしまい、第１送風手段（３）から吹出す空気の温度が上昇してしまうので上記のように構成することにより、第２送風手段から吹出す高温度の空気を再度放熱器（１０３）に吸込むのを防止し、第１送風手段（３）から吹出す空気の温度を低く抑えることになる。
【００３７】
また、本発明が講じた第１６の課題解決手段は、上記第１５の課題解決手段において、再吸込防止手段（５３）は、第２送風手段（４）から吹出す空気が放熱器（１０３）の吸込み方向に向かないように設けられた風向変更部（５４）を配置する構造としたものである。
【００３８】
この手段では、第２送風手段（４）から吹出した温度の高い空気は放熱器（１０３）から吸込み難い方向に向かって吹出すことになり、第２送風手段（４）から吹出す空気を再度放熱器（１０３）に吸込むことがなくなり、放熱器（１０３）の放熱量が減少することを抑制するので、吸熱器（１０５）の温度上昇を抑制し第１送風手段により吹出す空気の温度を低く抑えることになる。
【発明の効果】
【００３９】
本願発明は、かかる構成とすることにより以下に記載されるような効果を奏するものである。
【００４０】
（イ）本願の第１の発明にかかる除湿装置によれば、冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）と、室内空気（５）を前記放熱器（１０３）、前記放湿部（１２１）、前記吸熱器（１０５）、前記吸湿部（１２０）の順に供給し周囲空気より低い温度で室内に吹出す第１送風手段（３）と、室内空気（５）を前記放熱器（１０３）に供給し室内に吹出す第２送風手段（４）を備え、前記第１送風手段（３）から吹出す低温空気の冷風感を向上する冷風感向上手段（４１）を設ける構造とすることによって、第１送風手段（３）から吹出す空気の温度を低く感じられるようになるので、冷風が得られ、しかも冷風感の向上した快適な除湿装置を提供することができる。
【００４１】
（ロ）本願の第２の発明にかかる除湿装置によれば、上記（イ）に記載の効果に加えて、冷風感向上手段（４１）は第１送風手段（３）により送風される空気の風速を速める風速向上手段（４２）を備える構造とすることによって、吹出口における風速を速くするので、冷風の到達距離が伸びるとともに、その空気の熱伝達率を向上させより多くの熱量を奪うことができるようになるので、第１送風手段（３）から吹出す冷風の冷風感が向上するので冷風が得られ、しかも冷風感の向上した快適な除湿装置を提供することができる。
【００４２】
（ハ）本願の第３の発明にかかる除湿装置によれば、上記（ロ）に記載の効果に加えて、第１送風手段（３）はモーター（３２）と羽根（３１）とファンケーシング（３７）を備え前記ファンケーシング（３７）内で前記羽根（３１）が前記モーター（３２）により回転を与えられることにより送風する構成とし、風速向上手段（４２）は前記ファンケーシング（３７）の吹出口に向かう流路に、狭流路部（４３）を備える構造とすることによって、狭流路部（４３）により第１送風手段（３）内で風速が速められ吹出口における風速が速くなるので、冷風の到達距離が伸びるとともに、その空気の熱伝達率を向上させより多くの熱量を奪うことができるようになるので、第１送風手段（３）から吹出す冷風の冷風感が向上するので、冷風が得られ、しかも冷風感の向上した快適な除湿装置を提供することができる。
【００４３】
（ニ）本願の第４の発明にかかる除湿装置によれば、上記（ロ）または（ハ）に記載の効果に加えて、第１送風手段（３）はモーター（３２）と羽根（３１）とファンケーシング（３７）を備え前記ファンケーシング（３７）内で前記羽根（３１）が前記モーター（３２）により回転を与えられることにより送風する構成とし、風速向上手段（４２）は前記ファンケーシング（３７）の吹出口に向かう流路に湾曲部（４４）を備える構造とすることによって、第１送風手段（３）により送風される風を湾曲部（４４）において風速を落とすことなく風が必要な方向に曲げることができ、吹出口における風速が遅くなるのを防ぐため、冷風の到達距離が伸びるとともに、その空気の熱伝達率を向上させより多くの熱量を奪うことができるようになるので、第１送風手段（３）から吹出す冷風の冷風感が向上するので、冷風が得られ、しかも冷風感の向上した快適な除湿装置を提供することができる。
【００４４】
（ホ）本願の第５の発明にかかる除湿装置によれば、上記（イ）、（ロ）、（ハ）または（ニ）に記載の効果に加えて、冷風感向上手段（４１）は第１送風手段（３）により送風される空気に熱が加えられるのを防止する断熱手段（４５）を備える構造とすることによって、第１送風手段（３）により吹出す空気に熱が与えることがなくなるので、第１送風手段（３）から吹出す空気の温度を低く抑えることができ冷風感を向上することができる快適な除湿装置を提供することができる。
【００４５】
（ヘ）本願の第６の発明にかかる除湿装置によれば、上記（ホ）記載の効果に加えて、第１送風手段（３）はモーター（３２）と羽根（３１）とファンケーシング（３７）を備え前記ファンケーシング（３７）内で前記羽根（３１）が前記モーター（３２）により回転を与えられることにより送風する構成とし、断熱手段（４５）はモーター（３２）を風路に入れない構造とすることによって、モーター（３２）は通電すれば発熱を伴うが上記のように構成することにより、モーター（３２）からの発熱を第１送風手段（３）により吹出す空気に与えることがなくなるので、第１送風手段（３）から吹出す空気の温度を低く抑えることができ冷風感を向上することができる快適な除湿装置を提供することができる。
【００４６】
（ト）本願の第７の発明にかかる除湿装置によれば、上記（イ）、（ロ）、（ハ）、（ニ）、（ホ）または（ヘ）に記載の効果に加えて、冷風感向上手段（４１）は第1送風手段（３）により送風される空気が周囲の室内空気（５）と混合するのを抑制する混合抑制手段（４８）を備えることによって、第１送風手段（３）により吹出される低温空気が周囲の空気と混ざりにくくなるので低温空気の温度が上昇することが抑制されるので、第１送風手段から吹出す冷風の冷風感が向上するので冷風が得られる冷風感の向上した快適な除湿装置を提供することができる。
【００４７】
（チ）本願の第８の発明かかる除湿装置によれば、上記（ト）に記載の効果に加えて、第１送風手段（３）の吹出口に風向を変更するルーバー（３０）を備え、混合抑制手段（４８）は前記第１送風手段（３）の吹出口の両端にくるように前記ルーバー（３０）に配置された風向板（４９）を設ける構造とすることによって、第１送風手段（３）により吹出される低温空気が周囲の空気と混ざりにくくなるので低温空気の温度が上昇することなく、また、吹出し方向を絞って吹出すことになり、風速を速くすることになり低温空気の到達距離も長くなるので、第１送風手段から吹出す冷風の冷風感が向上するので冷風が得られ、しかも冷風感の向上した快適な除湿装置を提供することができる。
【００４８】
（リ）本願の第９の発明にかかる除湿装置によれば、上記（イ）、（ロ）、（ハ）、（ニ）、（ホ）、（ヘ）、（ト）または（チ）に記載の効果に加えて、冷風感向上手段（４１）を吸熱器（１０５）に流入する風路に室内空気（５）を導入する空気導入風路（５１）を設ける構造とすることによって、放熱器（１０３）により加熱されていない室内空気（５）を、より多く吸熱器（１０５）に導入し冷却するので第１送風手段（３）からより温度の低い空気を吹出すとともに風量も多くなるので、第１送風手段（３）から吹出す空気の温度を低く抑えることができ、さらに風量が増えることにより、冷風感を向上することができる快適な除湿装置を提供することができる。
【００４９】
（ヌ）本願の第１０の発明にかかる除湿装置によれば、上記（リ）に記載の効果に加えて、空気導入風路（５１）は、空気導入量を調整できる空気導入量調整手段（５２）を設ける構造とすることによって、冷風感を強くしたい時には、空気導入量を多くするよう調整することにより吸熱器（１０５）に導入する室内空気（５）を増やし、冷風感を強くすることができ、冷風感を弱くしたい時には、空気導入量を少なくするように調整することにより、吸熱器（１０５）に直接導入する室内空気（５）を減少することにより冷風感を弱めることができるので、冷風感の強弱を調整することにできる使い勝手の良い快適な除湿装置を提供することができる。
【００５０】
（ル）本願の第１１の発明にかかる除湿装置によれば、上記（ヌ）に記載の効果に加えて、第１送風手段（３）と第２送風手段（４）の吹出し空気を混合して吹出すか、または分離して吹出すかを切替える切替え手段（６）を備え、空気導入量調整手段（５２）は前記切替え手段（６）の動作に連動して外気導入量を調整する構造とすることによって、切替え手段（６）を第１送風手段（３）と第２送風手段（４）の吹出し空気が混合するよう設定する除湿モードでは、空気導入量を除湿量が最大となるように調整し、第１送風手段（３）と第２送風手段（４）の吹出し空気を分離して吹出す冷風モードでは冷風感が最も得られるように空気導入量を調整し、これらを連動して行うことができるので、除湿モードでの除湿能力の確保と冷風モードでの冷風感の向上が両立できる使い勝手の良い除湿装置を提供することができる。
【００５１】
（ヲ）本願の第１２の発明にかかる除湿装置によれば、上記（ル）に記載の効果に加えて、切替え手段（６）が第１送風手段（３）と第２送風手段（４）の吹出し空気を分離して吹出すよう風路を切替えた時に、空気導入量調整手段（５２）は吸熱器（１０５）の前段に導入される室内空気（５）の量を増加する構造とすることによって、切替え手段（６）を第１送風手段（３）と第２送風手段（４）の吹出し空気が分離するよう設定する冷風モードでは、吸熱器（１０５）の前段に放熱器（１０３）により加熱されていない室内空気（５）の導入量を増加されることになり、第１送風手段（３）からより温度の低い空気を吹出すとともに、第１送風手段（３）から吹出す風量も多くなるので、切替え手段（６）を第１送風手段（３）と第２送風手段（４）の吹出し空気が分離するよう設定する冷風モードでは、第１送風手段（３）から吹出す空気の温度を低く抑えることができ、さらに風量が増えることにより、冷風感を向上することができる快適な除湿装置を提供することができる。
【００５２】
（ワ）本願の第１３の発明にかかる除湿装置によれば、上記（イ）、（ロ）、（ハ）、（ニ）、（ホ）、（ヘ）、（ト）、（チ）、（リ）、（ヌ）、（ル）または（ヲ）に記載の効果に加えて、冷風感向上手段（４１）が除湿能力低減手段であることによって、除湿装置におけるトータルの温度上昇は入力電力が温度上昇になったものと水分を凝縮する際に発生する凝縮潜熱が温度上昇になったものの和であるが、そのうち水分凝縮量を意図的に減らすことにより凝縮潜熱に伴う温度上昇を抑えることができることになり、温度を低く抑えた空気を吹出すことになるので、冷風感を向上することができる快適な除湿装置を提供することができる。
【００５３】
（カ）本願の第１４の発明にかかる除湿装置によれば、上記（ワ）に記載の効果に加えて、吸放湿手段（１１９）を、ハニカムローター（１０８）に担持された吸着剤（１０７）が、吸湿部（１２０）において供給空気から水分を吸着するとともに放湿部（１２１）において供給空気へ水分を脱着するように前記ハニカムローター（１０８）を配し、前記ハニカムローター（１０８）の回転によって、前記吸湿部（１２０）における水分吸着と前記放湿部（１２１）における水分脱着を繰り返すように構成し、除湿能力低減手段は前記吸放湿手段（１１９）の回転を低下させる、または停止させる構造としている。これにより、通常であれば室内空気（５）を、放熱器（１０３）においてヒートポンプ（１１８）の放熱により加熱し、次にハニカムローター（１０８）の放湿部（１２１）において吸着剤（１０７）の放湿により加湿し、次に吸熱器（１０５）においてヒートポンプ（１１８）の吸熱により冷却し、次にハニカムローター（１０８）の吸湿部（１２０）において吸着剤（１０７）の吸湿により除湿する。従って、吹出す空気は、ハニカムローター（１０８）の吸湿部（１２０）により吸湿され、吸着熱により温度が上昇していた。上記のように除湿能力低減手段として吸放湿手段（１１９）の回転を低下、停止させることにより、吸湿部（１２０）における吸湿を抑制し、除湿能力を低下させ、吸着熱による温度上昇を抑制するので、吹出し空気の温度を低く抑えることになるので、冷風感を向上することができる快適な除湿装置を提供することができる。
【００５４】
（ヨ）本願の第１５の発明にかかる除湿装置によれば、上記（イ）、（ロ）、（ハ）、（ニ）、（ホ）、（ヘ）、（ト）、（チ）、（リ）、（ヌ）、（ル）、（ヲ）、（ワ）または（カ）に記載の効果に加えて、冷風感向上手段（４１）は第２送風手段（４）から吹出した空気が放熱器（１０３）に再び吸込まれるの防止する再吸込防止手段（５３）を設ける構造とすることによって、第２送風手段（４）から吹出した温度の高い空気を再度放熱器（１０３）に吸込んだ場合、放熱器（１０３）における放熱量が低下しその結果、吸熱器の温度が上昇してしまい、第１送風手段（３）から吹出す空気の温度が上昇してしまうので上記のように構成することにより、第２送風手段から吹出す高温度の空気を再度放熱器（１０３）に吸込むのを防止し、第１送風手段（３）から吹出す空気の温度を低く抑えることになるので、冷風感を向上することができる快適な除湿装置を提供することができる。
【００５５】
（タ）本願の第１６の発明にかかる除湿装置によれば、上記（ヨ）に記載の効果に加えて、再吸込防止手段（５３）は、第２送風手段（４）から吹出す空気が放熱器（１０３）の吸込み方向に向かないように設けられた風向変更部（５４）を配置する構造とすることによって、第２送風手段（４）から吹出した温度の高い空気は放熱器（１０３）から吸込み難い方向に向かって吹出すことになり、第２送風手段（４）から吹出す空気を再度放熱器（１０３）に吸込むことがなくなり、放熱器（１０３）の放熱量が減少することを抑制するので、吸熱器（１０５）の温度上昇を抑制し第１送風手段により吹出す空気の温度を低く抑えることになるので、簡単な構成で再吸込みを抑制し、冷風感を向上することができる快適な除湿装置を提供することができる。
【発明を実施するための最良の形態】
【００５６】
以下、本発明の実施の形態について図面を参照しながら説明する。なお、従来の例と同一の構成要素については同一の符号を用い、詳細な説明は省略する。
【００５７】
（実施の形態１）
図１は、本発明の実施形態１にかかる除湿装置の概略構成を示す簡易的な模式図ある。図１に示すように、この除湿装置は本体１０１内に、圧縮機１０２、放熱器１０３、膨張機構１０４、吸熱器１０５を配管接続した冷媒回路１０６と、供給空気から吸湿する吸湿部１２０および供給空気に対して放湿する放湿部１２１を有する吸放湿手段１１９を設け、冷媒回路１０６内に冷媒１１７を充填している。また、本体１０１には吸込口１１２と第１吹出口１および第２吹出口２を開口し、第１送風手段３および第２送風手段４の運転によって、室内空気５を吸込口１１２より本体１０１内に導入している。本体１０１内に供給された室内空気５は第１送風手段３により、放熱器１０３、放湿部１２１、吸熱器１０５、吸湿部１２０に順に供給されて第１吹出口１より本体１０１外部に流出し、また、吸込口１１２から導入された室内空気５の一部は第２送風手段４により、放熱器１０３および吸湿部１２０に供給されて、第２吹出口２より本体１０１外部に流出するように風路を形成している。さらに、第２吹出口２には切替え手段６を設け、第２送風手段４により室内に供給される空気が第２吹出口２から流出するか第１吹出口１から流出するかの切替えを可能にしている。そして、圧縮機１０２により冷媒１１７を圧縮することによって、冷媒１１７が、放熱器１０３、膨張機構１０４、吸熱器１０５の順に冷媒回路１０６内を循環し、放熱器１０３に供給される室内空気５に対して放熱するとともに吸熱器１０５に供給される室内空気５から吸熱することによってヒートポンプ１１８を作動させる構成となっている。ここで、放熱器１０３は冷凍サイクルにおける、いわゆる凝縮器であり、吸熱器１０５は、いわゆる蒸発器である。
【００５８】
図２は、吸放湿手段１１９の詳細構成を示した図である。吸放湿手段１１９はセラミック繊維、ガラス繊維等の無機繊維、もしくはそれら無機繊維とパルプとを混合して抄造した平面紙とコルゲート加工を施した波型紙とを積層して巻き上げて円盤状にハニカムローター１０８として形成し、ゼオライト、シリカゲル、活性炭などの吸着剤１０７を１種類以上担持したもので構成され、図中の実線矢印の方向に多数の小透孔を有していて通風が可能な構造となっている。ハニカムローター１０８はローターフレームＡ７およびローターフレームＢ８により保持されている。ハニカムローター１０８はローターフレームＡ７に収納され、ローターフレームＡ７の片端面に設けたストッパー９によって脱落が抑えられている。ローターフレームＡ７の逆端側には外周に沿ってローターフレームＢ８が嵌り込み、複数箇所を螺子止めすることでローターフレームＡ７に固定される。ローターフレームＢ８の中心部にはボス受け部１０を設け、ボス受け部１０より放射状にフレームリブ１１を架橋させ、ローターフレームＢ８の逆側からハニカムローター１０８の中心軸孔に嵌るボス１２をボス受け部１０において螺子止めにより固定することでローターフレームＡ７とボス１２の相対位置が規定されハニカムローター１０８の保護および保持が成されることになる。各フレームリブ１１はリング部１３により架橋されており強度を保っている。リング部１３は１箇所以上設ければよく、ハニカムローター１０８の直径が大きい場合には、複数個設けるほうが良い。ローターフレームＢ８は防錆があり、且つ薄い板厚で高い強度が要求されるので板厚０．４〜１．０ｍｍ、好ましくは０．４ｍｍのステンレス鋼鈑をプレス、曲げ加工により製作したものを用いている。また、ローターフレームＡ７の外周にはハニカムローター１０８を回転可能にするためのローターギア１４をローターフレームＡ７、ストッパー９との一体成型により形成している。ローターギア１４はローター駆動手段１５である駆動モーター１６に配置されている駆動ギア１７と噛合し、駆動モーター１６の回転に合わせてハニカムローター１０８が回転駆動する構成となっている。また、ハニカムローター１０８の吸湿部１２０に供給される空気と放湿部１２１に供給される空気の相互流通を抑制するように風路を仕切っており、このハニカムローター１０８の回転によって吸着剤１０７は、吸湿部１２０における空気との接触と放湿部１２１における空気との接触を繰り返すことになる。この吸着剤１０７は、晒される空気の相対湿度が高ければ多くの水分を保持でき、相対湿度が低くなると保持可能な水分量が減少する特性を有しているので、相対湿度の異なる複数の空気との接触を繰り返せば、各々の相対湿度における吸着剤１０７の保持可能な水分量の差に応じて水分の吸脱着が行われることになる。ここで、吸湿部１２０で吸着剤１０７と接触する空気は、吸熱器１０５において冷媒１１７の吸熱により冷却された高い相対湿度の空気であり、放湿部１２１で吸着剤１０７と接触する空気は、放熱器１０３において冷媒１１７の放熱により加熱された低い相対湿度の空気であるので、この相対湿度の差によって、吸着剤１０７の吸脱着作用が為されて吸放湿手段１１９が作動することになるのである。
【００５９】
図３は、本発明の実施形態１にかかる除湿装置の概略構成を示す分解図である。図３に示すように、吸放湿手段１１９の通風路前後、放熱器１０３および吸熱器１０５の通風路前後を仕切る仕切り板１８に放熱器１０３、吸熱器１０５は固定されている。放熱器１０３および吸熱器１０５はアルミ製のフィンと銅製のチューブを組み合わせたフィンチューブ熱交換器であり、そのＵベンド部分を仕切り板１８に設けられた熱交固定部１９に押し込み固定し、さらに吸熱器カバー２０により複数点を仕切り板１８に螺子止めすることにより固定を確実なものにしている。吸熱器カバー２０はまた、吸放湿手段１１９の放湿部１２１から流出した多湿空気が他の空気と混合するのを防止する作用を有する。仕切り板１８には吸放湿手段１１９を回転可能に支持する回転軸２１が設けられており、吸放湿手段１１９は中心部分を仕切り板１８の回転軸２１に嵌め込み、ローターカバー２２により回転軸２１と仕切り板１８の円周方向外周部の複数点を螺子止めすることにより枢設されている。仕切り板１８とローターカバー２２には吸放湿手段１１９を挟んで吸放湿手段仕切り部２３が配置され、吸放湿手段１１９を吸湿部１２０と放湿部１２１に区分している。仕切り板１８に備えられたローター駆動手段１５により吸放湿手段１１９は回転駆動され、吸湿部１２０と放湿部１２１を連続的に入れ替えることにより連続的に除湿が行われるように構成されている。
【００６０】
圧縮機１０２は圧縮機１０２下部を防振ゴムを介してベース２４に螺子止めされている。圧縮機１０２、放熱器１０３、膨張機構１０４であるキャピラリチューブ、吸熱器１０５は銅製のパイプ２５により圧縮機１０２、放熱器１０３、膨張機構１０４、吸熱器１０５の順に接続され、放熱器１０３と膨張機構１０４の間にはストレーナ２６が配置されている。圧縮機１０２により圧縮され高温高圧気体となった冷媒は放熱器１０３において冷却され、液体となりストレーナ２６において整流された後、膨張機構１０４において減圧される。２層流となった冷媒は吸熱器１０５において暖められ、気体となり圧縮機に戻り、冷凍サイクルを形成している。
【００６１】
ベースカバー２７はドレンパン２８の下部スペースを圧縮機１０２領域とタンク１２２領域に分離するとともに、ドレンパン２８を螺子止め支持している。
【００６２】
ドレンパン２８は、放熱器１０３、吸熱器１０５、吸放湿手段１１９、ローター駆動手段１５、ローターカバー２２を配置した仕切り板１８の下部に吸熱器１０５で結露した水滴を受けるように配置する。
【００６３】
第１送風手段３および第２送風手段４は仕切り板１８にローターカバー２２側から取付け、ドレンパン２８上部に配置する。ドレンパン２８下部のタンク１２２領域にはタンク１２２が引き出し可能に配置されている。第１送風手段３やその他風路の内側、外側などに結露し、結露水が漏れたとしても、ドレンパン２８で受けられ、タンク１２２に集水できる構造となっている。これら構成部品は除湿装置の本体１０１の外郭を構成するケース２９に収められ、ケース２９には吸込口１１２、第１吹出口１、第２吹出口２が設けられている。
【００６４】
第１送風手段３により吸込口１１２から吸込まれた室内空気５は放熱器１０３に供給され、温度を上昇された後、いったん吸放湿手段１１９と仕切り板１８の隙間を通過し、吸放湿手段１１９の第１送風手段３に面した端面から吸放湿手段１１９の放湿部１２１に供給される。放湿部１２１において高湿となった空気は吸熱器１０５の吸熱器カバー２０に面した端面から吸熱器１０５に供給され水分が凝縮される。吸熱器１０５から放出した空気は吸放湿手段１１９の吸湿部１２０に供給され水分を吸着剤１０７の吸着により奪われ、乾燥空気となり第１吹出口１から室内に放出される。一方、第２送風手段４により吸込口１１２から吸込まれた室内空気５は放熱器１０３に供給、温度を上昇された後、吸放湿手段１１９と仕切り板１８の隙間を通過し、第１吹出口１、または第２吹出口２から室内に放出される。第２送風手段４により室内に供給される空気が第１吹出口１から吹出すか第２吹出口２から吹出すかは、送風手段上部に設けられた切替え手段６により切替えることが可能な構造となっている。
【００６５】
第１吹出口１の上部にはルーバー３０を備え、第１吹出口１から室内に供給される空気の吹出し方向を変更可能な構成となっている。
【００６６】
吸放湿手段１１９を境に一方に第１送風手段３および第２送風手段４を、他方に放熱器１０３および吸熱器１０５をまとめて配置している。これにより送風手段においてはケーシングを一体で成形して部品点数を減少でき、放熱器１０３、吸熱器１０５においては銅パイプ２５のロー付けがやりやすくなり、メンテナンス性が向上するなどの効果が期待できる。
【００６７】
次に除湿装置の動作を説明する。
【００６８】
図４は、図１に示した除湿装置の冷媒１１７の状態変化を示すモリエル線図（圧力−エンタルピ線図）である。図４に示した点Ａ、点Ｂ、点Ｃ、点Ｄを矢符で結んだサイクルは、冷媒回路１０６内を循環する冷媒１１７の状態変化を示しており、冷媒１１７は圧縮機１０２において圧縮されることにより圧力とエンタルピが上昇して点Ａから点Ｂの状態変化を行い、放熱器１０３において供給される室内空気５に対して放熱することによりエンタルピが減少して点Ｂから点Ｃの状態となる。次に膨張機構１０４において膨張して減圧することにより圧力が低下して点Ｃから点Ｄの状態変化を行い、吸熱器１０５において供給される空気から吸熱することによりエンタルピが増加して点Ｄから点Ａの状態に戻る。このような冷媒１１７の状態変化により、吸熱器１０５において吸熱し、放熱器１０３において放熱するヒートポンプ１１８が動作し、この時、点Ｂと点Ｃのエンタルピ差に冷媒１１７の循環量を乗じた値が放熱器１０３における放熱量、点Ａと点Ｄ（点Ｃ）のエンタルピ差に冷媒１１７の循環量を乗じた値が吸熱器１０５における吸熱量となり、放熱量と吸熱量の差、即ち点Ｂと点Ａのエンタルピ差に冷媒１１７の循環量を乗じた値が圧縮機１０２の圧縮仕事量になる。
【００６９】
図５は、図１に示した除湿装置において第１送風手段により送風される室内空気５の状態変化を示す湿り空気線図である。図５に示した湿り空気線図において、まず、点ａの状態の室内空気５が放熱器１０３に供給され、冷媒１１７の放熱により加熱されて点ｂの状態となる。点ｂの状態となった室内空気５は、次に放湿部１２１に供給されてハニカムローター１０８に担持された吸着剤１０７が保有している水分を脱着することにより加湿されて、湿度が上昇するとともに温度が低下して点ｃの状態となる。点ｃの状態となった室内空気５は吸熱器１０５に供給され、冷媒１１７の吸熱により露点温度以下まで冷却されて点ｄの飽和状態となる。この時に飽和した水分は凝縮水としてタンク１２２に回収される。点ｄの飽和状態となった室内空気５は、吸湿部１２０に供給され、吸着剤１０７に水分を吸着されることによって除湿されて湿度が低下するとともに温度が上昇し、点ｅの状態の乾燥空気となって装置外部に排出される。以上の室内空気５の状態変化において、吸熱器１０５において回収される凝縮水の量は、点ｃと点ｄの絶対湿度差に吸熱器１０５を通過する室内空気５の重量換算風量を乗じた値となり、放湿部１２１における放湿量は、点ｃと点ｂの絶対湿度差に放湿部１２１を通過する室内空気５の重量換算風量を乗じた値となる。また、吸湿部１２０における吸湿量は、吸湿部１２０を通過する室内空気５の重量換算風量に点ｄと点ｅの絶対湿度差を乗じた値となる。一方、第２送風手段４により送風される室内空気５は、放熱器１０３に供給され点ａの状態から点ｂの状態に加熱され、そのまま室内に排出される。このように放熱器１０３における放熱量の一部を第２送風手段４によりそのまま室内に排出し、残りの放熱量を第１送風手段で送風される室内空気５の加熱に利用することにより、第１送風手段３により室内に供給される空気を点ａの状態の室内空気５より低温でしかも絶対湿度を低くした点ｅの状態とすることができる。
【００７０】
図６（ａ）は第１送風手段３および第２送風手段４の詳細構成を示した分解図である。図６（ａ）に示すように第１送風手段３および第２送風手段４は一体で構成されている。第１送風手段３用の第１羽根３１と第１羽根３１に回転を与える第１モーター３２と、第２送風手段４用の第２羽根３３と第２羽根３３に回転を与える第２モーター３４と、第１送風手段３の第１空気吸込口３５および第２送風手段４の第２空気吸込口３６を備えたファンケーシング３７と、第１モーター３２および第２モーター３４を支持するモーター支持枠３８により構成され、いわゆるシロッコファンとして構成されている。第１モーター３２および第２モーター３４はそれぞれ中心が第１空気吸込口３５および第２空気吸込口３６の中心と一致するようにモーター支持枠３８にモーターの周囲数箇所をネジ止めすることにより固定される。第１羽根３１および第２羽根３３は中心部分をそれぞれ第１モーター３２および第２モーター３４の回転シャフトに固定され、回転を与えられる。ファンケーシング３７はモーター支持枠３８と嵌合することにより第１送風手段３および第２送風手段４のそれぞれ第１風路３９および第２風路４０を構成している。第１空気吸込口３５および第２空気吸込口３６から流入した空気は第１羽根３１および第２羽根３３の回転により昇圧され、第１風路３９および第２風路４０から送風される。また、第２風路４０の上部には切替え手段６を備えている。切替え手段６は第２送風手段４の上部にスライド可能に配置され、第２送風手段４から吹出す空気を第１送風手段３から吹出す空気と混合して第１吹出口１から室内に供給する場合は切替え手段６が第１吹出口１に向かう風路を開口するようにスライドし、第１送風手段３から吹出す空気と分離して第２吹出口２から室内に供給する場合は第１吹出口１に向かう風路を閉塞するようにスライドする機構となっている。そして、第２送風手段４から吹出す空気が第１吹出口１から吹出す場合には、第１送風手段３により送風される除湿された空気と混合しながら吹出すことにより除湿運転（衣類乾燥運転）となり、第２吹出口２から吹出す場合には、第２送風手段４により送風される温度の高い空気は利用者の方に面さない方向に吹出し、主に利用者の方に向いている第１吹出口１からは、第１送風手段３から吹出す除湿され、しかも周囲空気よりも温度の低い空気を吹出し冷風運転となる。なお、本実施の形態では切替え手段６をスライド機構としたが、回転軸を備え回転軸を中心に回転駆動することにより風路を切替えるダンパー機構としてもよく、作用効果に差異はない。
【００７１】
図６（ｂ）は図６（ａ）中のＥ−Ｅ断面を示した概略断面図である。図６（ｂ）に示すように、冷風感向上手段４１として、風速向上手段４２が設けられている。風速向上手段４２は第１送風手段３の第１風路３９に第１風路３９の断面積を途中から狭くするように狭流路部４３を設けることにより構成されている。本実施の形態では狭流路部４３は急激な圧力変動を避けるために、なだらかに流路を狭めていき、吹出口付近では約８０％まで断面積を小さくしている。圧力損失の上昇を抑えて風速を速めることができれば良い。さらに風速向上手段４２として第１風路３９に風路を冷風が利用される方向に向けて湾曲する湾曲部４４を設けている。湾曲部４４は第１送風手段３の吹出口近傍で風向を変えるために、急激な圧力変動により風速が著しく減少してしまうのを抑制するために、風路自体を予め湾曲させておくものである。圧力損失の上昇を抑えて風向を変えることができれば良い。これにより第１羽根３１により送風された空気は第１風路３９内で狭流路部４３により風速を速め、湾曲部４４によりその風向を風速が減少されることなく、第１吹出口１より冷風を利用する方向に変え、吹出すことができる。そして、第１吹出口１から吹出す空気の風速が速くなるので、スポット的に冷風を吹出すことができ、さらに風速が速いことによる冷風利用者の皮膚表面での熱伝達率も向上するので、感覚として冷風感を向上することができる。また冷風の到達距離が延びることになるので、本体１０１から離れた場所でも冷風感を得ることができる。また、冷風感向上手段４１として第１送付手段３により送風される低温空気に外部から熱が与えられるのを抑制する断熱手段４５を備えている。本実施の形態では、図６（ｂ）に示すように、断熱手段４５はモーター支持枠３８にモーターカバー部４６を備える構造としている。モーターカバー部４６は第１モーター３２を風路側から覆うように構成されており、第１モーター３２を第１送風手段３の風路から完全に独立して支持する形状となっている。モーターは通電することにより発熱を伴うが、上記のように構成することにより、第１モーター３２から発生する熱が第１送風手段３から吹出す空気に与えられることがなくなり、第１吹出口１から吹出す冷風の温度の上昇を防ぐことができる。このように冷風感を向上した快適な冷風機能付きの除湿装置を提供することができる。
【００７２】
なお、本実施の形態では第１送風手段３と第２送風手段を一体で成形しているが、各々別に構成することもでき、作用効果に差異はない。
【００７３】
図７はルーバー３０の詳細構造を示す構成図である。図７に示すように、ルーバー３０は第１吹出口の上部に配置され、その両端にルーバー回転軸４７を有している。一方のルーバー回転軸４７はケース２９に設けられた軸受けに回転可能に枢設され、もう一方のルーバー回転軸４７はルーバー３０を駆動するルーバー駆動モーター（図示せず）に固定される。ルーバー駆動モーターが回転することにより、ルーバー３０の角度が変更され、吹出し空気の供給方向を変更することが可能となる。また、ルーバー３０には冷風感向上手段４１として、第１送風手段３により送風される低温空気が、第１吹出口１近傍の周囲空気を巻き込んで混合し温度が上昇するのを抑制する混合抑制手段４８を備えている。混合抑制手段４８は、第１送風手段３の第１風路３９の両端に沿うような位置でルーバー３０に風向板４９を配置することにより構成されており、第１送風手段３から吹出す冷風が風向板４９に沿って吹出すようになっている。さらに、風向板４９のルーバー３０に固定されている面と反対側にはサブフラップ５０が設けられている。サブフラップ５０は風向板４９の強度を確保すると共に、風向板４９の端面を覆うことにより、利用者が誤って風向板４９の端部で怪我をするのを防止している。また、サブフラップ５０を回転可能に設置すれば、さらに詳細な吹出し空気の風向調整が可能となる。以上のように構成することにより、第１送風手段３から吹出す冷風が風向板４９に沿って吹出すので、周りの空気を巻き込みながら混合して吹出すのを抑制し、温度上昇を防ぐことができる。さらに風向板４９の角度を、冷風を集めるような方向に傾斜することにより、さらにスポット的に冷風を吹出すことができる。これにより、冷風の到達距離を長くすると共に、風速が速いことによる冷風利用者の皮膚表面での熱伝達率も向上するので、感覚として冷風感を向上することができ、快適な冷風機能付き除湿装置を提供することができる。
【００７４】
図８は、吸熱器１０５と吸熱器カバー２０とケース２９の組付け状態を示す構成図である。図８に示すように、吸熱器カバー２０には冷風感向上手段４１として空気導入風路５１が設けられている。これにより吸放湿手段１１９の放湿部１２１を通過し、いったん紙面手前側に流入し、吸熱器１０５に流入していく空気に加え、ケース２９の吸込口１１２から直接吸熱器１０５に室内空気５を流入させることができる。よって、吸熱器１０５での吸熱量が増加し、第１送風手段から吹出す冷風をさらに熱量の低い空気とすることができる。また、第１吹出口１から吹出す風量が増加することになるので、第１吹出口１での風速が速くなり、冷風の到達距離を長くすると共に、風速が速いことによる冷風利用者の皮膚表面での熱伝達率も向上するので、感覚として冷風感を向上することができ、快適な冷風機能付き除湿装置を提供することができる。
【００７５】
また、吸放湿手段１１９の放湿部１２１を通過し高湿状態となった空気は吸熱器１０５上部の風路をとおり、いったん紙面手前側に流入し、吸熱器１０５に流入していく。そのため吸熱器１０５における風速分布は吸熱器１０５上部の風速が速く、下部では流れる風量が少なくなっている。上記を鑑み、空気導入風路５１は吸熱器１０５の中心より下部に設けるほうがよい。また、吸着器カバー２０には、空気導入風路５１の面積を変更可能とし、導入する空気の量を調整できる空気導入量調整手段５２を設けている。さらに、空気導入量調整手段５２を図６に示す切替え手段６と連動して変更可能とすることにより、除湿運転の時には空気導入量を少なく、あるいは無くし、冷風運転時に空気導入量を多くするよう構成する。空気導入風路５１による空気導入量を多くしていった場合、冷風感は向上するが、除湿能力としては最適な風量バランスが崩れることになる。そのため、上述のように運転モードに応じて最適な空気導入量とすることにより、冷風運転時には、冷風感を十分向上し、除湿運転時には除湿能力を向上することが可能となる。
【００７６】
図９は冷風感向上手段４１として吸放湿手段１１９の回転を停止した場合の第１送風手段３により送風される室内空気５の状態を示した湿り空気線図ある。図９に示すように、点ａの状態で吸込口１１２から導入された空気は放熱器１０３により点ｂの状態に加熱され、吸放湿手段１１９の放湿部１２１に供給される。吸放湿手段１１９の回転が停止しているので放湿部１２１から放湿が行われず、点ｂの状態の空気はそのまま吸熱器１０５に供給され冷却されることになる。そして、点ｄ´の状態まで冷却され、その絶対湿度差が凝縮し結露水となる。さらに、点ｄ´の空気は吸放湿手段１１９の吸湿部１２０に供給されるが、吸放湿手段１１９の回転が停止しているので、水分の吸着が行われず、点ｄ´の状態のまま室内に吹出される。点ｄ´の状態の空気は、吸放湿手段１１９を駆動させる場合の吹出し空気状態（点ｅ）と比べ、絶対湿度、相対湿度は高くなるが、乾球温度を低くすることができる。このように吸放湿手段１１９を回転し効率よく除湿され温度を下げた空気を得るのか、吸放湿手段１１９の回転を停止し除湿効率は落ちるがさらに温度を下げた空気を得るのかを切替えることができるようになる。すなわち、吸放湿手段１１９の駆動を切替えることにより、冷風感の強弱を切替えることができる構造とすることができる。
【００７７】
また、除湿能力低減手段として吸放湿手段１１９の回転速度を遅くし除湿量を低下させている。除湿装置におけるトータルの温度上昇は入力電力が温度上昇になったものと水分を凝縮する際に発生する凝縮潜熱が温度上昇になったものの和であるが、そのうち水分凝縮量を意図的に減らすことにより温度上昇を抑えることができることになり、温度を低く抑えた空気を吹出すことになるので、冷風感を向上することができる。
【００７８】
このように吸放湿手段１１９の回転を遅くする、あるいは停止し、除湿能力を意図的に減少させることにより第１送風手段３から送風する空気の温度を低減し冷風感を向上することができ、快適な冷風機能付きの除湿装置を提供することができる。
【００７９】
図１０（ａ）は冷風感向上手段４１として第２吹出口２から吹出す第２送風手段４により送風される空気が吸込口１１２から再度吸込まれるの防止する再吸込防止手段５３を示す構成図であり、図１０（ｂ）は図１０（ａ）のＦ−Ｆにおける断面を示す簡易図である。第２吹出口２からは放熱器１０３などの余熱を含んだ空気が吹きだされるので、室内空気５に比べると温度の高い空気となる。その温度の高い空気を吸込口１１２から吸込み、放熱器１０３に供給された場合、放熱器１０３における放熱量が低下しその結果、吸熱器の温度が上昇してしまい、第１送風手段３から吹出す空気の温度が上昇してしまう。そのため、第１吹出口１より吹出される空気は本来得られる温度状態の空気よりも高い温度となって吹出すことになる。第２送風手段４により図中Ｇの矢印で示す方向から送風される風に対して、吸込口１１２と反対の方向に風が向かうように、第２吹出口の近傍に風向変更部５４を設ける構造となっている。風向変更部５４は第２送風手段４の第２風路４０内における吸込口１１２側の壁面に設けられ、風路の一部が吸込口１１２とは反対方向に向かうように傾斜している。第２送風手段４により送風される空気は風向変更部５４によりその送風方向を変更され、図中Ｈの矢印の方向に進路を変更する。これにより第２吹出口２から吹出す空気は吸込口１１２に再度吸込まれることが抑制されるので第１吹出口１から吹出される冷風は、その温度を高めることなく、冷風感を損なうことない。
【００８０】
このように、本発明における本実施の形態によれば、室内空気より低温の空気を吹出し、その冷風感を高め、さらに利用者が供給空気を温度が低く除湿のされた空気か温度が高く除湿された空気かを任意にモード選択および冷風感の強弱の調整が可能な、快適で使い勝手の良い除湿装置を、循環経路１１１のない単純な構成で提供することができる。
【００８１】
なお、本実施形態の冷媒回路１０６に充填する冷媒１１７としては、ＨＣＦＣ系冷媒（分子中に塩素、水素、フッ素、炭素の各原子を含む）、ＨＦＣ系冷媒（分子中に水素、炭素、フッ素の各原子を含む）、炭化水素、二酸化炭素等を用いることができる。
【産業上の利用可能性】
【００８２】
以上のように本発明にかかる除湿装置は、循環経路１１１を要しない簡易な構成で、多様な環境下で効率の良い除湿を行い、本体１０１内の余熱と除湿・冷却された空気を分離して吹出すことのできる、除湿機、乾燥機、空調機、溶剤回収装置等の除湿機能が所望される用途に適している。
【図面の簡単な説明】
【００８３】
【図１】本発明の実施形態１にかかる除湿装置の概略構成を示した模式図
【図２】同、除湿装置の吸放湿手段１１９の詳細構成を示した分解図
【図３】同、除湿装置の概略構成示す分解図
【図４】同、除湿装置の冷媒１１７の状態変化を示すモリエル線図（圧力−エンタルピ線図）
【図５】同、除湿装置における第１送風手段３により送風される室内空気５の状態変化を示す湿り空気線図
【図６】同、除湿装置の第１送風手段３、第２送風手段４の詳細構成を示す分解図、およびＥ−Ｅ断面を示す概略断面図
【図７】同、除湿装置のルーバー３０の構成を示した構成図
【図８】同、除湿装置の吸熱器１０５と吸熱器カバー２０とケース２９の組付け状態を示す分解図
【図９】同、除湿装置において吸放湿手段１１９の回転を停止した場合の第１送風手段３により送風される室内空気５の状態を示した湿り空気線図
【図１０】同、除湿装置の再吸込防止手段５３の構成を示す構成図、およびＦ−Ｆ断面を示す概略断面図
【図１１】従来の除湿装置の概略構成を示した図
【符号の説明】
【００８４】
３    第１送風手段
４    第２送風手段
５    室内空気
６    切替え手段
３０  ルーバー
３１  第１羽根
３２  第１モーター
３７  ファンケーシング
４１  冷風感向上手段
４２  風速向上手段
４３  狭流路部
４４  湾曲部
４５  断熱手段
４８  混合抑制手段
４９  風向板
５１  空気導入風路
５２  空気導入量調整手段
５３  再吸込防止手段
５４  風向変更部
１０２  圧縮機
１０３  放熱器
１０４  膨張機構
１０５  吸熱器
１０７  吸着剤
１１７  冷媒
１１８  ヒートポンプ
１１９  吸放湿手段
１２０  吸湿部
１２１  放湿部
【図１】
2006220385.tif 000003
【図２】
2006220385.tif 000004
【図３】
2006220385.tif 000005
【図４】
2006220385.tif 000006
【図５】
2006220385.tif 000007
【図６】
2006220385.tif 000008
【図７】
2006220385.tif 000009
【図８】
2006220385.tif 000010
【図９】
2006220385.tif 000011
【図１０】
2006220385.tif 000012
【図１１】
2006220385.tif 000013